(57)【要約】      （修正有）【課題】効率よく歯磨きをすることができるアーチ型歯ブラシの構造を提供する。  【解決手段】主にヘッド及びハンドルで構成するアーチ型歯ブラシの構造である。アーチ型植毛面の形状である両側が高く、中央に向かって次第に低くなる形状に沿って、アーチ型植毛面にある刷毛の長さも、アーチ型植毛面の両側から中央に向かって次第に短くすることで、刷毛の頂端で一つのアーチ型を形成する。【選択図】図１
0003175920.tif 000002
【実用新案登録請求の範囲】
【請求項１】
ヘッド及びハンドルを含み、
該アーチ型ヘッドは一つのアーチ型植毛面を具有し、該アーチ型植毛面に間隔を開けて或いは不規則に排列する複数束の刷毛を植え、
該アーチ型植毛面の相隣する面に互いに対応する上端面と下端面、及び互いに対応する第一側面及び第二側面を形成し、その中、アーチ型植毛面にある複数束の刷毛はアーチ型植毛面と対応してアーチ型の形状を呈するため、刷毛の長さはそれぞれ第一側面及び第二側面からアーチ型植毛面の中心に向かって次第に短くなり、
該ハンドルの一端はアーチ型ヘッドの下端面の上と接続することを特徴とするアーチ型歯ブラシの構造。
【請求項２】
前記刷毛は硬質又は軟質の材料、或いは両者を混合したものであることを特徴とする請求項１記載のアーチ型歯ブラシの構造。
【請求項３】
前記該アーチ型ヘッド及びハンドルは一体成形であることを特徴とする請求項１記載のアーチ型歯ブラシの構造。
【請求項４】
前記アーチ型ヘッド及びハンドルは弾性のある材料で作られることを特徴とする請求項１記載のアーチ型歯ブラシの構造。
【請求項５】
前記弾性のある材料とはプラスティック或いはゴム、或いは両者を混合した材料とすることを特徴とする請求項４記載のアーチ型歯ブラシの構造。
【考案の詳細な説明】
【技術分野】
【０００１】
本考案はアーチ型歯ブラシの構造に関し、特にアーチ型のヘッドにある刷毛がアーチ型を呈し、歯の内側外側、噛み合せ面及び歯周ポケットのいずれにも刷毛によって完全に覆うことができ、角度を変えずに歯を綺麗に磨けるアーチ型歯ブラシの構造。
【背景技術】
【０００２】
歯ブラシは日常生活において、無くてはならない口腔ケア用品である。国民健康局の統計によると、台湾の３〜６歳児の虫歯のある子は１０人に７.３人、大人は９９％にも及ぶ割合で様々な口腔の病気を持っている現状を見ると、台湾の国民は口腔ケアをおろそかにしていることが分かる。従来の歯磨き法の種類が多く、現在のアメリカ歯周病学会の歯磨きの宣伝及び近代の教科書が最も推薦している歯磨き法はいずれもバス法であり、それは主に「小刻みに横に動かす」磨き方である。
【０００３】
従来の歯ブラシはハンドルを具有し、ハンドルにヘッドが続き、ヘッドの植毛面は平ら状であり、該植毛面に間隔を開けて排列する複数個の刷毛を植える。よって、従来の歯ブラシでバス法を行う場合、歯ブラシは角度を変えながら歯の内側、外側を磨く必要があり、大変手間と時間がかかり、児童が歯磨きを嫌がる主な一つの原因である。また、ヘッドに植えられた平らの刷毛は歯磨き粉の付着力が低く、歯磨き粉が取れやすい。
【０００４】
そこで、従来の歯ブラシのヘッドに三面の刷毛を具有する構造を案出する者がいた。中国台湾公告第Ｍ３４８５２３号「三面歯ブラシ」の歯ブラシヘッドは、三面の隣り合う且つ彎曲して接続する刷毛板で構成する三面の歯ブラシヘッドの構造である。該歯ブラシヘッドの左右に対応して設置する二つの刷毛板はそれぞれ凹部スロットを設置し、中央に位置する刷毛板と左右に対応して設置する二つの刷毛板とは、それぞれ一つの拡張彎曲部を設置して彎曲状を形成して互いに接続する。
よって、歯磨きのときに、ユーザーは歯ブラシヘッドの左右に対応して設置する二つの刷毛板を折ってから歯磨きを行う。構造が複雑な上にヘッドのサイズが従来の歯ブラシより大きく、児童は使いにくく、第二或いは第三大臼歯などの奥歯に届き難いことを鑑みて、更なる改善が必要であった。
【先行技術文献】
【特許文献】
【０００５】
【特許文献１】中国台湾公告第Ｍ３４８５２３号明細書
【考案の概要】
【考案が解決しようとする課題】
【０００６】
前記公知構造の欠点を解決するため、本考案はアーチ型の植毛面を設置し、歯の内側、外側、噛み合せ面及び歯周ポケットを完全に覆って掃除することができ、手間暇をかけずに歯磨きの効果をベストにするアーチ型歯ブラシの構造を提供することを主な課題とする。
【課題を解決するための手段】
【０００７】
上述の目的を解決するために、本考案はアーチ型ヘッド及びハンドルを具有するアーチ型歯ブラシの構造を提供するものである。
【０００８】
該アーチ型ヘッドは一つのアーチ型植毛面を具有し、該アーチ型植毛面に間隔を開けて或いは不規則に排列する複数束の刷毛を植える。該アーチ型植毛面の相隣する面に互いに対応する上端面と下端面、及び互いに対応する第一側面及び第二側面を形成する。その中、アーチ型の植毛面にある複数束の刷毛は、アーチ型植毛面と対応してアーチ型の形状を呈するため、刷毛の長さはそれぞれ第一側面及び第二側面からアーチ型植毛面の中心に向かって次第に短くなる。また、該ハンドルの一端はアーチ型ヘッドの下端面の上と接続する。
【０００９】
上述のアーチ型ヘッドとハンドルはプラスティック或いはゴム、或いはプラスティック及びゴムを混同した弾性のある材料を用いて一体成形に作成したものとする。該刷毛１１１は硬質或いは軟質の材料、或いは両者を混合した弾性のある材料を使って一体成形に作ったものとする。
【００１０】
上述のように、ユーザーは歯磨きの際に、アーチ型植毛面の刷毛によって、歯の内側、外側、噛み合せ面及び歯周ポケットを完全に覆って掃除することができ、歯磨きに手間暇をかけずに歯の掃除効果をベストにすることができる。
【００１１】
また、刷毛の長さはそれぞれアーチ型植毛面の両端から中心点に向かって次第に短くなる特徴により、歯磨き粉が付着しやすく刷毛の中に入るため、歯磨き粉が取れるのを防止することができる。
【考案の効果】
【００１２】
本考案はアーチ型植毛面の形状に沿って、刷毛の長さもアーチ型植毛面の両側から中央に向かって次第に短くすることで、刷毛の頂端で一つのアーチ型を形成する。これにより、歯の内側外側、噛み合せ面及び歯周ポケットを完全に覆って掃除できるほか、歯磨き粉が付着して刷毛の中に入りやすいため、手間暇をかけることなく、効率よく歯磨きをすることができる。
【図面の簡単な説明】
【００１３】
【図１】本考案の立体略図である。
【図２】本考案の前視略図である。
【図３】本考案の実施略図である。
【考案を実施するための形態】
【００１４】
図１及び図２に示すように、本考案のアーチ型歯ブラシ構造に含まれるのはアーチ型ヘッド１及びハンドル２である。
【００１５】
アーチ型ヘッド１は一つのアーチ型植毛面１１を具有し、該アーチ型植毛面１１に間隔を開けて或いは不規則に排列する複数束の刷毛１１１を植える。且つ該刷毛１１１は硬質或いは軟質の材料のうちの一つ、或いは両者を混合した弾性のある材料を使って一体成形に作ったものとする。該アーチ型植毛面１１の相隣する面に互いに対応する上端面１３と下端面１２、及び互いに対応する第一側面１４及び第二側面１５を形成する。その中、アーチ型植毛面１１にある複数束の刷毛１１１はアーチ型植毛面１１と対応してアーチ型の形状を呈するため、刷毛１１１の長さはそれぞれ第一側面１４及び第二側面１５からアーチ型植毛面１１の中心に向かって次第に短くなる。よって、歯磨き粉がアーチ型形態の複数束の刷毛１１１に付着しやすく、刷毛１１１の中に入り込んで歯磨きをすることができる。
【実施例】
【００１６】
該ハンドル２の一端はアーチ型ヘッド１の下端面１２の上と接続する。
【産業上の利用可能性】
【００１７】
図３に示すように、刷毛１１１の長さはそれぞれ第一側面１４及び第二側面１５からアーチ型植毛面１１の中心に向かって次第に短くなるため、ユーザーがバス法で歯３の上で小刻みに横に動かすと、刷毛１１１の頂端が形成するアーチ面が歯３の内側外側、噛み合せ面及び歯周ポケットを完全に覆うことができるため、ユーザーは歯３に歯ブラシを当てて角度を変える必要がなく、小刻みの動きをするだけで、同時に歯３の内側外側、噛み合せ面及び歯周ポケットを掃除することができ、手間暇をかけずに効率よく歯磨きをすることができる。
【００１８】
前記を総合して本考案には下記のメリットを具有する：
１.刷毛の頂端が形成するアーチ面により、歯の内側外側面、噛み合せ面及び歯周ポケット部分を完全に覆うことができ、角度を変えずに歯磨きが完了するだけでなく、手間暇をかけることなくベストな清潔効果が得られる。
【００１９】
２.刷毛の頂端が形成するアーチ面により、歯磨き粉が簡単に刷毛に付着して刷毛の中に入り込みやすいため、歯磨き粉の付着力を高める。
【００２０】
アーチ型ヘッドのサイズは容易く第二或いは第三大臼歯などの奥歯に入ることができるため、各年齢層に適合する。また、アーチ型ヘッドの構造はシンプルであるため、製造コストを節約できる優勢を持つ。
【００２１】
以上の実施例による本考案の詳細な説明は本考案の範囲を制限するものではない。本技術に熟知する者が、本考案の範囲内にて行う変更や調整を行っても、本考案の重要な意義は失われず、本考案の範囲に含まれる。
【符号の説明】
【００２２】
１  アーチ型ヘッド
１１  アーチ型植毛面
１１１  刷毛
１２  下端面
１３  上端面
１４  第一側面
１５  第二側面
２  ハンドル
３  歯
【図１】
0003175920.tif 000003
【図２】
0003175920.tif 000004
【図３】
0003175920.tif 000005